(57)【特許請求の範囲】
【請求項１】
ヘッド部にブラシ部を設けた歯ブラシであって、
前記ブラシ部は、天然毛の毛束を有するとともに、前記天然毛は、動物毛とし、更に、前記動物毛は、馬毛および／または山羊毛とし、
前記ブラシ部は、内側に前記馬毛および前記山羊毛の毛束のうちいずれか一方を設けるとともに、外側に前記馬毛および前記山羊毛の毛束のうちいずれか他方を設けることを特徴とする歯ブラシ。
【請求項２】
ヘッド部にブラシ部を設けた歯ブラシであって、
前記ブラシ部は、天然毛の毛束を有するとともに、前記天然毛は、動物毛とし、更に、前記動物毛は、馬毛および／または山羊毛とし、
前記ブラシ部は、内側に前記馬毛の毛束を設けるとともに、外側に前記山羊毛の毛束を設けることを特徴とする歯ブラシ。
【請求項３】
前記ブラシ部は、前記毛束の高さを５ｍｍ乃至７ｍｍとすることを特徴とする請求項１または請求項２に記載の歯ブラシ。
【請求項４】
前記ヘッド部は、前記長手方向に沿った長さ寸法を１０ｍｍ乃至２０ｍｍとし、前記長手方向と水平方向において直交する方向に沿った長さ寸法を５ｍｍ乃至１５ｍｍとすることを特徴とする請求項１乃至請求項３のいずれか一項に記載の歯ブラシ。
【請求項５】
前記ブラシ部は、予め歯磨き粉が練り込まれ、前記歯磨き粉は、粉状または粒状とした動物の骨および／または角を含むことを特徴とする請求項１乃至請求項４のいずれか一項に記載の歯ブラシ。
【請求項６】
前記動物の角は、鹿の角とすることを特徴とする請求項５に記載の歯ブラシ。
【請求項７】
動物の歯磨きに用いることを特徴とする請求項１乃至請求項６のいずれか一項に記載の歯ブラシ。
【請求項８】
前記動物は、犬とすることを特徴とする請求項７に記載の歯ブラシ。
【請求項９】
前記犬は、小型犬とすることを特徴とする請求項８に記載の歯ブラシ。
【請求項１０】
請求項１乃至請求項９のいずれか一項に記載の歯ブラシと、粉状または粒状とした動物の骨および／または角を含む歯磨き粉と、を有することを特徴とする歯磨きセット。
【請求項１１】
前記動物の角は、鹿の角とすることを特徴とする請求項１０に記載の歯磨きセット。
【請求項１２】
請求項１乃至請求項１１のいずれか一項に記載の歯ブラシを用いて粉状または粒状とした動物の骨および／または角を含む歯磨き粉により歯磨きを行うことを特徴とする歯磨き方法。
【請求項１３】
前記動物の角は、鹿の角とすることを特徴とする請求項１２に記載の歯磨き方法。
【発明の詳細な説明】
【技術分野】
【０００１】
本発明は、歯ブラシ、歯磨きセット、および歯磨き方法に関し、特にヘッド部に天然毛を設けた歯ブラシ、歯磨きセット、および歯磨き方法に関する。
【背景技術】
【０００２】
従来から歯ブラシが用いられており、この歯ブラシのブラシ部には、特許文献１に開示されるように、例えばナイロン等の人工毛の毛束が設けられる。
【先行技術文献】
【特許文献】
【０００３】
【特許文献１】特開２０１７−２１７４３８号公報
【発明の概要】
【発明が解決しようとする課題】
【０００４】
しかしながら、ブラシ部をナイロン等の人工毛とすると歯茎に与える触感に違和感を覚えることがあり、特に犬等の動物ではその傾向が顕著となる。このため、天然毛を設けた歯ブラシの開発が望まれていた。
【０００５】
本願発明は上記事情に鑑みてなされたものであり、天然毛を設けた歯ブラシ、歯磨きセット、および歯磨き方法を提供することを目的とする。
【課題を解決するための手段】
【０００６】
上記目的を達成するために、本発明に係る歯ブラシは、ヘッド部にブラシ部を設けた歯ブラシであって、前記ブラシ部は、天然毛の毛束を有することを特徴とする歯ブラシ。
【０００７】
本発明によれば、前記ブラシ部は、天然毛の毛束を有することとしたので、天然毛を設けた歯ブラシを提供することができる。
【０００８】
前記天然毛は、動物毛とすることとすれば、歯茎に与える触感の違和感を少なくすることができる。
【０００９】
前記動物毛は、馬毛および／または山羊毛とすることとすれば、歯茎に与える触感の違和感を更に少なくすることができる。
【００１０】
前記ブラシ部は、内側に前記馬毛および前記山羊毛の毛束のうちいずれか一方を設けるとともに、外側に前記馬毛および前記山羊毛の毛束のうちいずれか他方を設けることができる。すなわち、山羊毛は馬毛よりも柔らかく歯茎に与える触感が馬毛よりも優れ、馬毛は山羊毛よりも歯磨きの際の耐久性に優れるため、歯茎に与える触感の違和感を少なくすることができ、更に歯磨きの際の耐久性も向上させることができる。
【００１１】
前記ブラシ部は、内側に前記馬毛の毛束を設けるとともに、外側に前記山羊毛の毛束を設けることとすれば、外側に設けられる山羊毛の毛束により歯茎に与える触感の違和感を少なくしながら、馬毛の毛束により内側から山羊毛の毛束を補強することができる。
【００１２】
第１の歯ブラシ乃至第３の歯ブラシを有し、前記第１の歯ブラシは、前記ブラシ部に設けられる全ての毛束を山羊毛の毛束とし、前記第２の歯ブラシは、前記ブラシ部の内側に前記馬毛の毛束を設けるとともに、前記内側の毛束を取り囲むように外側に前記山羊毛の毛束を設け、前記第３の歯ブラシは、前記ブラシ部に設けられる全ての毛束を馬毛の毛束とすることとすれば、ブラシ部を馬毛および／または山羊毛とした歯ブラシを状況に応じて使い分けることができる。
【００１３】
前記ブラシ部は、前記毛束の高さを５ｍｍ乃至７ｍｍとすることとすれば、小型化したブラシ部を提供することができる。
【００１４】
前記ヘッド部は、前記長手方向に沿った長さ寸法を１０ｍｍ乃至２０ｍｍとし、前記長手方向と水平方向において直交する方向に沿った長さ寸法を５ｍｍ乃至１５ｍｍとすることとすれば、小型化したヘッド部を提供することができる。
【００１５】
前記ブラシ部は、予め歯磨き粉が練り込まれ、前記歯磨き粉は、粉状または粒状とした動物の骨および／または角を含むこととすれば、歯ブラシに歯磨き粉を付ける動作を省略することができるとともに、粉状または粒状とした動物の骨および／または角を含むこととしたので、歯磨き粉が与える違和感を少なくすることができる。
【００１６】
前記動物の角は、鹿の角とすることとすれば、違和感を更に少なくすることができる。
【００１７】
前記歯ブラシは、動物の歯磨きに用いることとし、前記動物は、犬とすることができる。
【００１８】
前記犬は、小型犬とすることできる。
【００１９】
上記目的を達成するために、本発明に係る歯磨きセットは、上記歯ブラシと、粉状または粒状とした動物の骨および／または角を含む歯磨き粉と、を有することを特徴とする。
【００２０】
前記動物の角は、鹿の角とすることができる。
【００２１】
上記目的を達成するために、本発明に係る歯磨き方法は、上記歯ブラシを用いて粉状または粒状とした動物の骨および／または角を含む歯磨き粉により歯磨きを行うことを特徴とする。
【００２２】
前記動物の角は、鹿の角とすることができる。
【００２３】
上記目的を達成するために、本発明に係る歯磨き方法は、請求項６に記載の歯ブラシを用いて歯磨きを行う歯磨き方法であって、前記第１の歯ブラシにより歯磨きを行った後、前記第２の歯ブラシにより歯磨きを行い、更に前記第２の歯ブラシにより歯磨きを行った後に前記第３の歯ブラシにより歯磨きを行うことを特徴とする。
【００２４】
本発明によれば、前記第１の歯ブラシにより歯磨きを行った後、前記第２の歯ブラシにより歯磨きを行い、更に前記第２の歯ブラシにより歯磨きを行った後に前記第３の歯ブラシにより歯磨きを行うこととしたので、歯茎に与える触感と耐久性の向上のバランスの取れた歯ブラシの使用方法を提供することができる。
【発明の効果】
【００２５】
本発明によれば、天然毛を設けた歯ブラシ、歯磨き方法、および歯磨きセットを提供することができる。
【図面の簡単な説明】
【００２６】
【図１】本発明の実施形態に係る歯ブラシの構成を示す図で、（ａ）は側面図、（ｂ）はＡＡ断面図、（ｃ）はＢＢ断面図である。
【図２】同歯ブラシの平面図である。
【図３】同歯ブラシの分解側面図である。
【図４】同歯ブラシのヘッド部を拡大して示す平面図である。
【図５】同歯ブラシのヘッド部を拡大して示す側面断面図である。
【図６】同歯ブラシのヘッド部に予め歯磨き粉を練り込んだ状態を示す側面図である。
【図７】本発明の歯磨きセットを示す図である。
【図８】本発明の歯ブラシの変形例を示す図で、（ａ）は第１の歯ブラシの構成を示す側面図、（ｂ）は第２の歯ブラシの構成を示す側面図、（ｃ）は第３の歯ブラシの構成を示す側面図である。
【図９】本発明の歯磨きセットの変形例を示す図で、（ａ）は第１の歯ブラシの構成を示す側面図、（ｂ）は第２の歯ブラシの構成を示す側面図、（ｃ）は第３の歯ブラシの構成を示す側面図、（ｄ）は歯磨き粉を示す図である。
【図１０】本発明の変形例において歯ブラシのヘッド部に予め歯磨き粉を練り込んだ状態を示す側面図である。
【発明を実施するための形態】
【００２７】
以下、本発明の実施形態について図面を参照して詳細に説明する。図１は、本発明の実施形態に係る歯ブラシの構成を示す側面図、図２は、同歯ブラシの平面図、図３は、同歯ブラシの分解側面図、図４は、同歯ブラシのヘッド部を拡大して示す平面図、図５は、同歯ブラシのヘッド部を拡大して示す側面断面図である。なお、以下の説明においては、各方向は図中に示された方向を基準とする。
【００２８】
図１乃至図５を参照して本発明の実施形態に係る歯ブラシ１の概要を説明すると、歯ブラシ１は、長手方向に延びる歯ブラシ本体１０とブラシ部２０を有しており、歯ブラシ本体１０は、グリップ部１１、ネック部１２、およびヘッド部１３を有している。歯ブラシ本体１０は、バイオマス素材を用いて形成されている。バイオマス素材は、天然由来の素材であり、例えば木等の植物を用いて形成されたバイオマス素材やバイオマスプラスチック、バイオマス樹脂等を含む。
【００２９】
グリップ部１１は、使用者が指で歯ブラシ１を掴む際にペングリップを可能とする構成としており、略板状となっている。
【００３０】
グリップ部１１は、平面視が長手方向に沿って長尺な略矩形状としており、より詳しくは、平面視が長手方向に沿ってグリップ部１１の一端部１１ａから他端部１１ｂに向かって幅寸法を漸次減少するテーパ状となっている。
【００３１】
また、グリップ部１１は、長手方向と水平方向において直交する方向の断面形状を前記直交する方向に若干長尺な矩形状となっている。
【００３２】
ネック部１２は、グリップ部１１の長手方向の他端部１１ｂと連続して繋がるように形成されている。ネック部１２は、平面視が長手方向に沿ってネック部１２の一端部１２ａから他端部１２ｂに向かって幅寸法を漸次減少するテーパ状となっており、ネック部１２のテーパ角度は、グリップ部１１のテーパ角度よりも大きく設定さている。ネック部１２は、長手方向と水平方向において直交する方向の断面形状を矩形状としている。
【００３３】
ネック部１２とグリップ部１１の境界の上面側には、上方に突出する突出部１５が設けられている。突出部１５は、側面視の形状が三角形としている。この突出部１５をネック部１２とグリップ部１１の境界に設けることにより、使用者が指で歯ブラシ１を掴み易くすることができる。
【００３４】
ヘッド部１３は、ネック部１２の長手方向の他端部１２ｂと連続して繋がるように形成されている。ヘッド部１３は、長手方向に沿った長さ寸法を１０ｍｍ乃至２０ｍｍとし、長手方向と水平方向において直交する方向に沿った長さ寸法を５ｍｍ乃至１５ｍｍとしている（より詳しくは、ヘッド部１３は、長手方向に沿った長さ寸法を１５ｍｍとし、長手方向と水平方向において直交する方向に沿った長さ寸法を８ｍｍとすることが好ましい）。ヘッド部１３には、ブラシ部２０が設けられており、ヘッド部１３の上面１３ａには、ブラシ部２０の毛束２０´を植毛するための凹部１３ｂが設けられている。ブラシ部２０は、歯磨きの際に歯磨き粉を付ける部分となる。ブラシ部２０は、毛束２０´の高さを５ｍｍ乃至７ｍｍとすることができる（より詳しくは、ブラシ部２０は、毛束２０´の高さを６ｍｍとすることが好ましい）。
【００３５】
すなわち、ブラシ部２０は、天然毛の毛束２０´をヘッド部１３の凹部１３ｂに植毛して設けている。天然毛は、動物毛とすることができ、動物毛は、馬毛および／または山羊毛とすることができる。ブラシ部２０は、内側に馬毛および山羊毛の毛束２０´のうちいずれか一方を植毛して設けるとともに、内側の毛束２０´を取り囲むように外側に馬毛および山羊毛の毛束２０´のうちいずれか他方を植毛して設けることができる。
【００３６】
より詳しくは、本実施形態にあっては、ブラシ部２０は、内側に馬毛の毛束２０´（２０ａ´）を植毛して設けるとともに、内側の毛束２０´（２０ａ´）を取り囲むように外側に山羊毛の毛束２０´（２０ｂ´）を植毛して設けることとしている。
【００３７】
以上のように構成された本実施形態の歯ブラシ１は、動物の歯磨きに用いることができ、動物は、犬とすることができる。犬は、小型犬とすることができる。更に、犬は、プードル、シーズー、ペキニーズ、およびミニチュアダックスの少なくともいずれかとすることができる。
【００３８】
本実施形態の歯ブラシ１のブラシ部２０は、図６に示すように、予め歯磨き粉３０が練り込まれ、歯磨き粉３０は、粉状または粒状とした動物の骨および／または角を含むことができる。このような構成とすることで、歯ブラシ１に歯磨き粉３０を付ける動作を省略することができるとともに、粉状または粒状とした動物の骨および／または角を含むことにより、動物より詳しくは犬に対し歯磨き粉が与える違和感を少なくすることができる。動物の角は、鹿の角とすることとすれば、動物より詳しくは犬の違和感を更に少なくすることができる。
【００３９】
なお、図７に示すように、本実施形態の歯ブラシ１と、粉状または粒状とした動物の骨および／または角を含む歯磨き粉３０とを歯磨きセット４０として用いることとしてもよい。かかる場合にあっても、動物の角は、鹿の角とすることができる。
【００４０】
図６および図７の如く構成された歯ブラシ１または歯磨きセット４０により、歯ブラシ１を用いて粉状または粒状とした動物の骨および／または角（動物の角は、より詳しくは鹿の角）を含む歯磨き粉により歯磨きを行う歯磨き方法を採ることができる。
【００４１】
[実施例１]
本実施形態の歯ブラシ１のブラシ部２０の毛束２０´の高さを５ｍｍ乃至７ｍｍとした。また、ヘッド部１３の長手方向に沿った長さ寸法を１０ｍｍ乃至２０ｍｍ、長手方向と水平方向において直交する方向に沿った長さ寸法を５ｍｍ乃至１５ｍｍとし、ブラシ部２０の毛束２０´の全てをナイロン製の毛束２０´（実施例Ａ）、ブラシ部２０の毛束２０´の全てを馬毛の毛束２０´（実施例Ｂ）、ブラシ部２０の毛束２０´の全てを山羊の毛束２０´（実施例Ｃ）、ブラシ部２０の内側を山羊毛の毛束２０´とし外側を馬毛の毛束２０´（実施例Ｄ）、ブラシ部２０の内側を馬毛の毛束２０´とし外側を山羊毛の毛束２０´（実施例Ｅ）として、犬より詳しくはプードル、シーズー、ペキニーズ、ミニチュアダックスの各犬種の歯磨きに使用し違和感の有無について観察した。
【００４２】
その結果、各犬種とも、ブラシ部２０をスムーズに口に挿入することができ、上記ブラシ部２０の寸法が適切な寸法であるとの結果が得られた。
【００４３】
また、使用感については、表１に示すように、各犬種について、ブラシ部２０を、実施例Ｃの山羊毛の毛束２０´とした歯ブラシ１が最も歯茎に与える触感の違和感が少なく、以下、実施例Ｅの内側を馬毛の毛束２０´とし外側を山羊毛の毛束２０´としたブラシ部２０、実施例Ｄの内側を山羊毛の毛束２０´とし外側を馬毛の毛束２０´としたブラシ部２０、実施例Ｂの馬毛の毛束２０´としたブラシ部２０、実施例Ａのナイロン製の毛束２０´としたブラシ部２０の順で歯茎に与える違和感が少ないという観察結果が得られた。
【００４４】
すなわち、ブラシ部２０の毛束２０´を天然毛とした場合（実施例Ｂ〜Ｅ）は、人工毛（実施例Ａのナイロン製の毛束２０´）とした場合に対し、各犬種について、いずれも違和感が少ないという良好な観察結果が得られた。
【００４５】
また、天然毛のブラシ部２０においては、各犬種について、実施例Ｃの山羊毛の毛束２０´のブラシ部２０が最も違和感が少ないという観察結果が得られたが、耐久性の面では、実施例Ｂの馬毛の毛束２０´のブラシ部２０が最も良好な結果が得られた。
【００４６】
更に、実施例Ｅの内側を馬毛の毛束２０´とし外側を山羊毛の毛束２０´としたブラシ部２０の場合は、各犬種について、実施例Ｃの山羊毛の毛束２０´としたブラシ部２０の場合よりも違和感の点では劣るものの耐久性の面では優れるという結果となった。
【００４７】
更にまた、実施例Ｄの内側を山羊毛の毛束２０´とし外側を馬毛の毛束２０´としたブラシ部２０の場合は、実施例Ｅの内側を馬毛の毛束２０´とし外側を山羊毛の毛束２０´としたブラシ部２０の場合よりも違和感の点では劣るものの耐久性の面では優れるという結果となった。
言い換えると、実施例Ｅの内側を馬毛の毛束２０´とし外側を山羊毛の毛束２０´としたブラシ部２０の場合は、実施例Ｄの内側を山羊毛の毛束２０´とし外側を馬毛の毛束２０´としたブラシ部２０の場合よりも耐久性の面では劣るものの違和感の点では優れるという結果となった。
【００４８】
歯磨きの際の違和感および耐久性のいずれも考慮すると、実施例Ｄの内側を山羊毛の毛束２０´とし外側を馬毛の毛束２０´としたブラシ部２０および実施例Ｅの内側を馬毛の毛束２０´とし外側を山羊毛の毛束２０´としたブラシ部２０が良いと考えられる。
【００４９】
【表１】
0006765164.tif 000002
【００５０】
[実施例２]
本実施形態の歯ブラシ１を用いて粉状または粒状とした動物の骨および／または角を含む歯磨き粉より詳しくは粉状または粒状とした鹿の角を含む歯磨き粉により、犬より詳しくはプードル、シーズー、ペキニーズ、ミニチュアダックスの各犬種の歯磨きを行った場合の違和感の観察結果（歯磨き方法の実施例Ｂ´）を表２に示す。
【００５１】
表２に示すように、各犬種について、歯磨き方法の実施例Ｂ´は、粉状または粒状とした動物の骨および／または角を含まない歯磨き粉より詳しくは粉状または粒状とした鹿の角を含まない通常の歯磨き粉により歯磨きを行った結果（歯磨き方法の実施例Ａ´）よりも違和感が少なくなるという結果が得られた。
【００５２】
本実施形態の歯ブラシ１と、粉状または粒状とした動物の骨および／または角を含む歯磨き粉３０より詳しくは粉状または粒状の鹿の角を含む歯磨き粉３０をセットで使用することにより、歯磨きの際の違和感を飛躍的に少なくすることができる。
【００５３】
【表２】
0006765164.tif 000003
【００５４】
以上説明したように、本実施形態によれば、ヘッド部１３の上面１３ａにブラシ部２０を植毛するための凹部１３ｂを設け、ブラシ部２０は、天然毛の毛束２０´をヘッド部１３の凹部１３ｂに植毛して設けることとしたので、天然毛を設けた歯ブラシ１を提供することができる。
【００５５】
また、天然毛は、動物毛とすることとしたので、歯茎に与える触感の違和感を少なくすることができる。
【００５６】
更に、動物毛は、馬毛および／または山羊毛とすることとしたので、歯茎に与える触感の違和感を更に少なくすることができる。
【００５７】
更にまた、ブラシ部２０は、内側に馬毛および山羊毛の毛束２０´のうちいずれか一方を植毛して設けるとともに、内側の毛束２０´を取り囲むように外側に馬毛および山羊毛の毛束２０´のうちいずれか他方を設けることとができる。すなわち、山羊毛は馬毛よりも柔らかく歯茎に与える触感が馬毛よりも優れ、馬毛は山羊毛よりも歯磨きの際の耐久性に優れるため、内側に馬毛および山羊毛の毛束２０´のうちいずれか一方を植毛して設けるとともに、内側の毛束を取り囲むように外側に馬毛および山羊毛の毛束２０´のうちいずれか他方を植毛して設けることとすることにより、歯茎に触感に与える違和感を少なくすることができ、更に歯磨きの際の耐久性も向上させることができる。
【００５８】
より詳しくは、ブラシ部２０は、内側に馬毛の毛束２０´を設けるとともに、内側の毛束２０´を取り囲むように外側に山羊毛の毛束２０´を設けることとしたので、外側に設けられる山羊毛の毛束２０´により歯茎に与える触感の違和感を少なくしながら、馬毛の毛束２０´により内側から山羊毛の毛束２０´を補強することができる。
【００５９】
また、ヘッド部１３は、毛束２０´の高さを５ｍｍ乃至７ｍｍとし、長手方向に沿った長さ寸法を１０ｍｍ乃至２０ｍｍとし、長手方向と水平方向において直交する方向に沿った長さ寸法を５ｍｍ乃至１５ｍｍとすることとしたので、小型化したヘッド部１３を提供することができ、犬の口にスムーズに挿入することができる。
【００６０】
なお、本発明は、上述した実施形態に限定されることなく、種々の変形実施、応用実施が可能であることは勿論である。
【００６１】
例えば、図８に示す変形例においては、第１の歯ブラシ１００乃至第３の歯ブラシ３００を有し、第１の歯ブラシ１００は、ブラシ部２０に植毛して設けられる全ての毛束２０´を山羊毛の毛束２０´とし、第２の歯ブラシ２００は、上記歯ブラシ１と同様に、ブラシ部２０の内側に馬毛の毛束２０´を植毛して設けるとともに、内側の毛束２０´を取り囲むように外側に山羊毛の毛束２０´を植毛して設け、第３の歯ブラシ３００は、ブラシ部２０に植毛して設けられる全ての毛束２０´を馬毛の毛束２０´とすることとしている。
【００６２】
すなわち、第１の歯ブラシ１００により歯磨きを行った後、第２の歯ブラシ２００により歯磨きを行い、更に第２の歯ブラシ２００により歯磨きを行った後に第３の歯ブラシ３００により歯磨きを行う歯磨き方法を採ることで、動物より詳しくは犬更に詳しくは小型犬また更に詳しくはプードル、シーズー、ペキニーズ、およびミニチュアダックスの少なくともいずれかの歯茎に与える触感と耐久性の向上のバランスの取れた歯ブラシの使用方法を提供することができる。
【００６３】
なお、図９に示すように、かかる変形例においても、第１の歯ブラシ１００、第２の歯ブラシ２００、および第３の歯ブラシ３００のブラシ部１０１，２０１，３０１は、予め歯磨き粉３０が練り込まれ、歯磨き粉３０は、粉状または粒状とした動物の骨および／または角を含むことができる。
【００６４】
また、図１０に示すように、第１の歯ブラシ１００、第２の歯ブラシ２００、および第３の歯ブラシ３００と、粉状または粒状とした動物の骨および／または角を含む歯磨き粉３０と、を歯磨きセット４００として用いることとしてもよい。図９および図１０においても、動物の角は、鹿の角とすることができる。
【００６５】
更に上述した実施形態にあっては、小型犬をプードル、シーズー、ペキニーズ、およびミニチュアダックスのうち少なくともいずれかとすることとしているが他の小型犬に適用することとしても勿論構わない。他の小型犬は、例えば、イタリアングレーハウンド、ウエストハイランドホワイトテリア、カニンヘンダックスフンド、キャバリア・キング・チャールズ・スパニエル、ケアーンテリア、シーリハムテリア、ジャックラッセルテリア、スキッパーキー、スコティッシュテリア、スタンダード・ダックス、チベタンスパニエル、チベタンテリア、チャイニーズクレステッドドッグ、チワワ、トイマンチェスターテリア、ノーフォークテリア、パピオン、パーソンラッセルテリア、ビション・フリーゼ、ブリュッセル・グリフォン、プチブラバンソン、べトリントンテリア、ベルジアン・グリフォン、ボストンテリア、ボロニーズ、ボーダー・テリア、ポメラニアン、マルチーズ、ミニチュア・シュナウザー、ミニチュア・ピンシャー、ヨークシャーテリア、ラサアプソ、レークランドテリア、日本テリア、狆、豆柴とすることができる。
【符号の説明】
【００６６】
１：歯ブラシ
１０：歯ブラシ本体
１１：グリップ部
１１ａ：一端部
１１ｂ：他端部
１２：ネック部
１２ａ：一端部
１２ｂ：他端部
１３：ヘッド部
１３ａ：上面
１３ｂ：凹部
１５：突出物
２０：ブラシ部
２０´：毛束
２０ａ´：馬羊の毛束（内側の毛束）
２０ｂ´：山羊毛の毛束（外側の毛束）
３０：歯磨き粉
４０：歯磨きセット
１００：第１の歯ブラシ
１０１：ブラシ部
２００：第２の歯ブラシ
２０１：ブラシ部
３００：第３の歯ブラシ
３０１：ブラシ部
４００：歯磨きセット
【要約】      （修正有）【課題】天然毛を設けた歯ブラシ、歯磨きセット、および歯磨き方法を提供する。【解決手段】歯ブラシ１は、グリップ部１１、グリップ部１１の長手方向の他端部１１ｂと連続して繋がるネック部１２、およびネック部１２の長手方向の他端部１２ｂと連続して繋がるヘッド部１３を有する歯ブラシ本体１０のヘッド部１３にブラシ部２０を設けた歯ブラシ１であって、ヘッド部１３の上面にブラシ部２０を植毛するための凹部を設け、ブラシ部２０は、天然毛の毛束をヘッド部１３の凹部に植毛して設ける。【選択図】図１【図１】
0006765164.tif 000004
【図２】
0006765164.tif 000005
【図３】
0006765164.tif 000006
【図４】
0006765164.tif 000007
【図５】
0006765164.tif 000008
【図６】
0006765164.tif 000009
【図７】
0006765164.tif 000010
【図８】
0006765164.tif 000011
【図９】
0006765164.tif 000012
【図１０】
0006765164.tif 000013